(57)【要約】      （修正有）【課題】ベール体の成形中や放出時に子実や稈切れが機外に落下し、収穫した後の圃場面に散在してベール作業の効率が低下したり、耕運作業などを妨げる。これらを解消するために、収穫作業中と転がり出る際に生じる双方の落下物を受止めて還元する茎稈回収装置の提供である。【解決手段】ロールベーラ装置Ａを固定筐体５と開放筐体３に分割し、該開放筐体３の下方にスクリューコンベア７を設けた漏斗室８を配置し、落下通路１５とベーラ室１を連通させて該ベーラ室１の落下物と、ベーラ体２が転がり出る際の落下物とを受止める構成にし、前記スクリューコンベア７の上方にカッターを装備して受け刃側を漏斗室８に設け、回転刃側を開放筐体３に装着して切断刃を回動可能にしたカッター付きの茎稈回収装置である。【選択図】図１
2004242538.tif 000002
【特許請求の範囲】
【請求項１】
機体の前方に刈取部を設けて収穫した茎稈を搬送ダクトを介してロールベーラ装置に供給する構成にし、ベーラ室の下方に漏下物の回収装置を装備したロールベーラにおいて、ロールベーラ装置（Ａ）を固定筐体（５）と回動可能にした開放筐体（３）に分割し、該開放筐体（３）の下方にスクリューコンベア（７）を横架した漏斗室（８）を配置させたことを特徴とするロールベーラの茎稈回収装置。
【請求項２】
巻取り転輪（１０）の外側後方に漏斗室（８）と連通する落落下通路（１５）を形成したことを特徴とする請求項１に記載したロールベーラの茎稈回収装置。
【請求項３】
ベーラ室（１）を構成する巻取り転輪（１０）とクリューコンベア（７）の間に、カッター（２０）を装備させたことを特徴とする請求項１に記載したロールベーラの茎稈回収装置。
【請求項４】
カッター（２０）の受け刃側（２１）を漏斗室（８）内に装着し、対向する回転刃側（１８）を開放筐体（３）に装着したことを特徴とする請求項３に記載したロールベーラの茎稈回収装置。
【発明の詳細な説明】
【０００１】
【発明の属する技術分野】
本発明は、フレール刈取部によって飼料用作物などを刈取り、ロールベーラ装置に供給してロール成形するロールベーラにおいて、ロール成形中に生じた漏下物を収集してベーラ室に還元する回収装置に関するものである。
【０００２】
【従来の技術】
従来は、コンバインなどで収穫した茎稈をロールベーラ装置の前方に横架したカッターで切断してからベーラ室に供給し、ロール成形するカッター付きのロールベーラがある（例えば特許文献１参照）。また、ベーラ室から転がり出るベール体を走行装置の後方よりも離反させるガイド板を設けたものが多数知られている（例えば特許文献２参照）。
【０００３】
【特許文献１】
特開２０００−８３４４１号公報（第３−４頁、図１、５）
特開平９−２３７３９号公報（第３頁、図３）
【０００４】
【発明が解決しようとする課題】
ベール成形中に巻取り転輪の隙間から連続して落下する子実や稈切れ（以下落下物とする）が圃場に散在したり、ベール体を放出する際に外周面に付着した前記子実や稈切れが一気に落下し、収穫後の圃場面に堆積して発芽を招き、混種を生じたり次工程の耕運作業を妨げるなどの問題点がある。これらを解消するために作業中に漏下する落下物と、ベール体の転出時に落下する子実や稈切れの双方を回収するロールベーラの茎稈回収装置を提供し、圃場に散在する落下量を減少させることを目的とする。
【０００５】
【課題を解決するための手段】
ロールベーラ装置を固定筐体と開放筐体に分割した構成にし、回動する開放筐体の下方に漏斗室を配置し、この漏斗室にのぞませた巻取り転輪の底板を開放して落下物を回収するようにした茎稈回収装置である。
【０００６】
ロールベーラ装置を固定筐体と回動可能にした開放筐体に分割し、該開放筐体の下方にスクリューコンベアを横架した漏斗室を配置させ、ロール成形中の落下物と転出時に生じる落下物の双方を回収できる漏斗室の構成にしてある。
【０００７】
巻取り転輪の外側後方に漏斗室と連通する落落下通路を形成し、、該落下通路内にのぞませる巻取り転輪の底板を開放して、ロール成形中に生じる落下物を複数の巻取り転輪の隙間から落下させる構成にしてある。
【０００８】
ベーラ室を構成する巻取り転輪とクリューコンベアの間にカッターを装備させて、前記ベーラ室から漏下した落下物を細断して漏斗室に収集する構成にし、横架したスクリューコンベアに巻付くなどの搬送障害を防ぐ切断装置にしてある。
【０００９】
カッターの受け刃側を漏斗室内に装着し、対向する回転刃側を開放筐体に装着し、回動操作によって切断刃を上方に離反させて、カッターの整備点検を行い易くする構成にした。
【発明実施の形態】
【実施例】
本発明による収穫した茎稈をロール成形する際に生じる落下物や、ベール体が転がり出る時に生じる子実や茎稈の落下物を還元する茎稈回収装置について、図１のベーラ室を拡大した側面図と、図６の茎稈の搬送経路と落下物の還元経路を示すロールベーラの全体側面図を活用して構造の概要を説明すると、左右一対のクローラ走行装置２２に連結した機台２３上の後方付近にロールベーラ装置Ａを搭載し、前方には昇降自在のフレール刈取部Ｂを連設して飼料用作物などの茎稈を刈取り、搬送ダクト２５内を矢印イの方向に跳上げ、ベーラ室１に連通する供給路２６を経由して、円形状に多数の巻取り転輪１０を架設したベーラ室１に茎稈が均等に誘導され、円筒形状のベール体２に生成するロールベーラ装置Ａの構成にしてある。
【００１０】
前記ロールベーラ装置Ａは前後方向の半割状に分割した開放筐体３と固定筐体５とからなり、この固定筐体５が機台２３上の後方に固設され、前記開放筐体３の前上部と固定筐体５の後上部を枢支し、接合した分離面６を縦方向に形成させた構成にしてあって、双方の筐体間の上部には開放シリンダー３０が介装され、該開放シリンダー３０が伸縮駆動をすることで前記開放筐体３が矢印ロの方向に回動可能となり、ベール体２が転がり出るように開口する開閉装置である。
【００１１】
開放筐体３が開口するには、ベーラ室１の内部一杯にベール体２が成長すると該開放筐体３の内部圧力が高まり、この圧力をセンサーが検知して運転席３１に設けた警報装置が作動してオペレータに認識させ、収穫作業を一時停止してベーラ室１に付設してある結束装置で外周に紐を巻き付け、ベール成形の完了にともなう結束作業が終了すると前記開放筐体３が図示する鎖線位置まで開口し、ベール体２を機体の後方に転出させて一工程を終了するロールベーラ装置である。
【００１２】
次に、本発明の茎稈回収装置の構成について説明すると、巻取り転輪１０を円形状に架設させたベーラ室１は、茎稈の供給路２６と連通する開口部２７以外の固定筐体５と開放筐体３に配置したものであり、この巻取り転輪１０の外周を底板１１で半円状に連続して覆い、前記開放筐体３の下方に設けた落下通路１５にのぞむ前記底板１１部分を除去し、該落下通路１５とベーラ室１を連通させでベール成形中に生じた落下物をこの区間で通過させ、前記落下通路１５を介して漏斗室８に誘導する茎稈回収装置の構成にしたものである。
【００１３】
前述する漏斗室８の配置は、開放筐体３の下方であって固定筐体５の分離面６よりも後方に延設した構成になり、この漏斗室８の底部には落下物を移送するスクリューコンベア７が横架され、搬送方向の終端がわを揚上コンベア２８の始端側と継設させて、ベーラ室１の左側板３３ａの外側に沿って斜設し、上方に設けた排出ケース３２の還元口４０を供給路２６の側面にのぞませ、前述する落下物を投入してベーラ室１に供給する還元経路にしてある。このようにロール成形中の落下物が再びロール成形中の茎稈内部に侵入して巻き取られ、圃場面に散在する落下量が減少するとともに、飼料用作物を効率良く収穫できるようにした茎稈回収装置である。
【００１４】
このように漏斗室８を開放筐体３の下方に配置したことによって、縦方向の分離面６が該漏斗室８の漏斗上面１６でＬ字型に屈折した形状になり、ベール体２が転がり出る際にロール底面が接当して抵抗が生じるために、前記漏斗上面１６を後傾斜にするとともに、固定筐体５の終端に配置した巻取り転輪１０の内面よりも低く設定し、転がり出易くした漏斗室８の形状にしてある。また、前述する漏斗上面１６が後方に延設されたことによって、前記ベール体２をクローラ走行装置２２の後端から離れた後方に放出でき、しかも、外周に付着した落下物が前記漏斗上面１６を転がり出る際に、この間で前記漏斗室８に回収されて機外に放出される落下量を減少させた茎稈回収装置である。
【００１５】
図２は、漏斗室に横架したスクリューコンベアの断面図であって、ベーラ室１の左右側板３３ａ、３３ｂに支持メタル３５を設けて多数の巻取り転輪１０を回転自在に架設し、駆動チェン４１を各スプロケット４２に巻き掛けて、同じ方向に前記巻取り転輪１０を回転させるベーラ室１の構成にしてある。また、固定筐体５の終端に設けた前記巻取り転輪１０の内面よりも漏斗上面１６を下方に配置し、その底部に横架したスクリューコンベア７の搬送終端がわを揚上ケース３６で支持して、一対のベベルギア３７を噛合させて揚上コンベア２８が駆動され、上方に固着した跳出し羽根３８によって回収した落下物を前記左側板３３ａに開口した還元口４０から、供給ロ２６に投入する還元経路にしたものである。
【００１６】
次に落下物に含まれる長い茎稈を切断するカッターの実施例について、図３の漏斗室に横架したカッターの断面図と、図４に示すのカッター部の正面図を併用して説明すると、円形状に連設した巻取り転輪１０間の隙間から長い茎稈が落下してスクリューコンベア７に巻付いたり、漏斗室８の案内板１２ａ、１２ｂにまたがってブリッジ状になり搬送障害を招く問題点がある。
【００１７】
このような現象を防ぐために、巻取り転輪１０とスクリューコンベア７との間にカッター２０を設けるとともに、細断を行う回転刃側１８を開放筐体３がわに装備し、これに対向する受け刃側２１を漏斗室８内に装着して、前記開放筐体３が開口した状態では、前記受け刃側２１から回転刃側１８の切断刃１７が上昇位置に変化し、ベール体２が後方に転がり出る開放口が形成される。この転出する際に、結束した該ベール体２の外周が前記切断刃１７に接触し、結束紐が切断されることを回避した回転刃側１８の構成にしたものである。
【００１８】
カッターを形成する受け刃側と回転刃側の構造は、受け刃側２１のロール１９を弾性材や樹脂製で成形してあり、回転刃側１８の切断刃１７が重合するロール溝４７を外周に複数列設け、漏斗室８の両側壁４８によって回転自在に支持し、該ロール１９の回転方向を巻取り転輪１０と同じ矢印ニの方向とし、その回転速度を前記切断刃１７よりも低速にするために歯車大５６ａを前記ロール１９の軸端に設け、これに噛合する歯車小５６ｂを回転刃側１８に固設して機体の外側で噛み合わせ、低速回転をする受け刃側２１の構成にしたものである。
【００１９】
一方回転刃側１８の切断刃１７を開放筐体３がわに装備してあり、閉鎖状態の巻取り中において、ロール１９に設けたロール溝４７に前記切断刃１７の外周部が重合するように配置し、各切断刃１７に併設したスターホイル５１が茎稈を掻き込みながら細断する切断装置であり、矢印ホの方向に高速回転する入力をカッタープーリ５７に受動するとともに、並設した歯車小５６ｂが前述するロール１９に固設した歯車大５６ａと噛合し、低速回転を前記ロール１９に伝達するが開放筐体３が開口状態になると、この噛み合いが解除されて前記受け刃側２１のロール１９が空転する駆動構造にしてある。
【００２０】
カッター２０の受け刃側２１と回転刃側１８を固定筐体５から延設した漏斗室８と、開放筐体３に分割して装備したことによって、縦方向の分離面６が漏斗上面１６と接合してＬ字型に変化し、この水平状の接合部から切断刃１７とともに開放筐体３が回動して放出口が開口され、ベール体２が該漏斗上面１６を転がり出るようにした構成である。しかし、転出する際に該ベール体２の下部が漏斗室８に落ち込み放出力が減退することがあり、これを防止するために前記漏斗室８に横架したロール１９が漏斗上面１６の空間を塞ぐ配置になって嵌入を防ぎ、しかも、前記ロール１９が空転してベール体２の転出を助長するとともに、放出に伴う落下物を後方に延設した漏斗上面１６から前記漏斗室８に回収可能にしたカッター付きの茎稈回収装置にしてある。
【００２１】
図５は、回転刃側に設けた防護カバーの側面図であって、矢印ロの方向に回動する開放筐体３の下端部に装備された切断刃１７が放出姿勢に開口した状態で、Ｌ字型になった分離面６よりも下方に露出するために、落下通路１５の両側板に回動支点５２を設けた防護カバー５３を装着し、引張りバネ５５を張設して図示する矢印ヘの方向に付勢してあり、開放筐体３が回動する開口時に切断刃１７を覆うように変動するカバー構造にし、鎖線で図示する閉鎖状態では前記防護カバー５３の下端部が漏斗室８の案内板１２ａに接当し、引張りバネ５５が伸張して前記分離面６の後方隙間を塞ぐように弾着する構成にしたものである。、
【００２２】
図７は、前述したスクリューコンベア７を切断装置Ｃに置換えた別途実施例の正面図であって、図８の断面図を併用して構造の概要を説明すると、処理胴６３に設けたリード板６０の回転によって落下物を矢印方向に搬送しながら細断し、終端がわに設けた放出羽根６２で揚上コンベア２８に受継ぐ還元経路を形成したものであり、前記処理胴６３の外周に３口のリード板６０を複数列植設し、その外形に鋸刃６５を設けて矢印リの方向に回転させるとともに、隣接する前記リード板６０との間に案内板１２ｂに固設したスクレーパー６１が突出し、搬送中の茎稈を引掛けることで前記鋸刃６５が茎稈に作用して任意の長さに細断するようにした切断装置Ｃの別途実施例である。
【００２３】
このようにリード板６０群を漏斗室８の全幅に複数列装着した実施例てあるが、搬送する始端がわをスクリューコンベア７で構成し、終端がわに鋸刃６５付きのリード板６０を連設する組合せ構造にすることや、案内板１２ｂに固設したスクレーパー６１に鋸刃６５を成形してリード板６０と対設させ、該鋸刃６５付きのスクレーパー６１を茎稈が通過する際に切断する構成にしても類似の効果を発揮するものである。
【００２４】
図９は、還元経路をベール室の中心付近に投入する別途実施例の側面図であって、図１０の要部断面図を併用して構造の概要を説明すると、ベール体２の成形初期段階では回転する茎稈量が少なく、ベーラ室１の中心付近では空間が生じ還元物の投入が容易に行え、前記ベール体２の中心部に効率よく巻込まれて、再度落下物になることを防止する効果がある。しかし、ロール成形の後半には前記中心付近までベール体２が成長して側面が還元口４０を塞ぎ、投入の妨げになる問題点がある。
【００２５】
このような問題点を解消するために、ベーラ室１の中心付近に還元物を投入する取込み室７０を形成させ、該ベーラ室１の側板３３と排出ケース３２の間に介在させる構成にし、巻取り転輪１０の下方に横架したスクリューコンベア７に継設した揚上コンベア２８によって搬送する還元経路の終端部と連通させた構成にしあり、ベール体２が成長する後半においても茎稈の圧縮密度が低い中心部が前記取込み室７０と対向する配置になり、回転する前記ベール体２の側面によって投入した還元物が誘導され、内がわに順次巻込むようにした還元装置の別途実施例である。
【００２６】
【発明の効果】
ロールベーラ装置を固定筐体と開放筐体に分割した構成にし、回動する開放筐体の下方に漏斗室を配置し、この漏斗室にのぞませた巻取り転輪の底板を開放して落下物を回収するとともに、前記漏斗室にカッターを設けて細断する茎稈回収装置にしたので、以下に掲げるような効果を発揮するものである。
【００２７】
機体の前方に刈取部を設けて収穫した茎稈を搬送ダクトを介してロールベーラ装置に供給する構成にし、ベーラ室の下方に漏下物の回収装置を装備したロールベーラにおいて、ロールベーラ装置を固定筐体と回動可能にした開放筐体に分割し、該開放筐体の下方にスクリューコンベアを横架した漏斗室を設けた構成にしたので、ロール成形中に生じる落下物がベーラ室の広い範囲から連続して回収でき、ベーラ室に落下物が滞留しなくなるとともに転がり出る際にベール体から落下する子実や茎稈も漏斗室で受止め、圃場に散在する落下量を減少させることができた。
【００２８】
巻取り転輪の外側後方に漏斗室と連通する落落下通路を形成し、、該落下通路内にのぞませる巻取り転輪の底板が開放され、ロール成形中に生じる落下物を複数の巻取り転輪の隙間から落下させる構成にしたので、落下物の回収率が向上するとともに落下通路が垂直状に形成され、しかも、回動操作で前記開放筐体とともに落下通路が変動して茎稈の詰まりが減少した。
【００２９】
ベーラ室を構成する巻取り転輪とスクリューコンベアの間に、カッターを横架し、案内板を張設した漏斗室に落下物を回収する構成にしたので、漏斗室に横架したスクリューコンベアに巻付いたり、漏斗室で長い茎稈が堆積するなどの搬送障害を防止することができた。
【００３０】
カッターの受け刃側を漏斗室内に装着し、対向する回転刃側を開放筐体に装着した構成にしたので、ベール体を放出する際に回転刃側が上昇し、結束した前記ベール体の外形に接触して紐切れになることが回避でき、ベール体の放出が円滑に行え、更にカッター部が全面開放されて整備点検がし易くなった。
【図面の簡単な説明】
【図１】ベーラ室を拡大した側面図である。
【図２】漏斗室に横架したスクリューコンベアの断面図である。
【図３】漏斗室に横架したカッターの断面図である。
【図４】カッター部の正面図である。
【図５】回転刃側に設けた防護カバーの側面図である。
【図６】収穫物の搬送経路と還元経路を示すロールベーラの全体側面図である。
【図７】別途実施例の切断装置を示す正面図である。
【図８】別途実施例の切断装置を示す側面図である。
【図９】別途実施例の還元経路を示す側面図である。
【図１０】別途実施例の還元経路を示す断面図である。
【符号の説明】
Ａ・・ロールベーラ装置  Ｂ・・フレール刈取部
１・・ベーラ室          ２・・ベール体        ３・・開放筐体
５・・固定筐体          ６・・分離面          ７・・スクリューコンベア
８・・漏斗室          １０・・巻取り転輪    １１・・底板
１２・・案内板          １５・・落下通路      １６・・漏斗上面
１７・・切断刃          １８・・回転刃側      １９・・ロール
２０・・カッター        ２１・・受け刃側      ２２・・クローラ走行装置
２３・・機台            ２５・・搬送ダクト    ２６・・供給路
２７・・開口部          ２８・・揚上コンベア  ３０・・開放シリンダー
３３・・左右側板        ３５・・支持メタル    ３６・・揚上ケース
３７・・ベベルギヤ      ３８・・跳出し羽根    ４０・・還元口
４１・・駆動チェン      ４２・・スプロケット  ４７・・ロール溝
４８・・側壁            ５１・・スターホイル  ５２・・回動支点
５３・・防護カバー      ５５・・引張りバネ    ５６・・歯車大、小
５７・・カッタープーリ  ６０・・リード板      ６１・・スクレーパー
６５・・鋸刃            ７０・・取込み室
矢印ロ・・開放筐体の回動方向
矢印ニ・・カッターのロール回転と、巻取り転輪の回転方向
矢印ホ・・切断刃の回転方向
矢印チ・・防護カバーの移動方向
矢印リ・・スクリューコンベアの回転方向
【図１】
2004242538.tif 000003
【図２】
2004242538.tif 000004
【図３】
2004242538.tif 000005
【図４】
2004242538.tif 000006
【図５】
2004242538.tif 000007
【図６】
2004242538.tif 000008
【図７】
2004242538.tif 000009
【図８】
2004242538.tif 000010
【図９】
2004242538.tif 000011
【図１０】
2004242538.tif 000012